(57)【要約】【課題】主電流の経路に配置された２つの導電部材の接合面積を増加させることができる蓄電素子を提供する。【解決手段】電極体４００を備える蓄電素子１０であって、電極体４００を流れる電流の経路に配置され、互いに接合された第一導電部材及び第二導電部材を備え、第一導電部材及び第二導電部材は、いずれか一方が有する第一部５２１が、他方が有する第二部４１１に向けて突出する凹凸構造で形成された第一かしめ接合部２１を有し、第一かしめ接合部２１は、第一部５２１及び第二部４１１のうちの、いずれか一方が有する第三部５２４が、他方が有する第四部４１４に向けて突出する凹凸構造で形成された第二かしめ接合部２２を有する。【選択図】図６
2019046803.tif 000002
【特許請求の範囲】
【請求項１】
電極体を備える蓄電素子であって、
前記電極体を流れる電流の経路に配置され、互いに接合された第一導電部材及び第二導電部材を備え、
前記第一導電部材及び前記第二導電部材は、いずれか一方が有する第一部が、他方が有する第二部に向けて突出する凹凸構造で形成された第一かしめ接合部を有し、
前記第一かしめ接合部は、前記第一部及び前記第二部のうちの、いずれか一方が有する第三部が、他方が有する第四部に向けて突出する凹凸構造で形成された第二かしめ接合部を有する
蓄電素子。
【請求項２】
前記第一部は、前記第二部に向けて第一方向に突出する第一突出部を有し、
前記第一突出部は、前記第一方向と交差する第二方向に突出する第二突出部を有し、
前記第三部は、前記第四部に向けて第三方向に突出する第三突出部を有し、
前記第三突出部は、前記第三方向と交差する第四方向に突出する第四突出部を有する
請求項１に記載の蓄電素子。
【請求項３】
前記第三部が前記第四部に向けて突出する方向は、前記第一部が前記第二部に向けて突出する方向と同じ方向である
請求項１または２に記載の蓄電素子。
【請求項４】
前記第三部が前記第四部に向けて突出する方向は、前記第一部が前記第二部に向けて突出する方向と逆方向である
請求項１または２に記載の蓄電素子。
【請求項５】
前記第一導電部材及び前記第二導電部材は、対向する位置に一対の前記第一かしめ接合部を有し、
前記一対の第一かしめ接合部は、対向する位置に一対の前記第二かしめ接合部を有する
請求項１〜４のいずれか１項に記載の蓄電素子。
【請求項６】
前記電極体は、積層された極板を有し、
前記第一導電部材は、前記電極体の積層された極板であり、
前記第二導電部材は、集電体である
請求項１〜５のいずれか１項に記載の蓄電素子。
【請求項７】
電極体を有する蓄電素子を備える蓄電装置であって、
前記電極体を流れる電流の経路に配置され、互いに接合された第一導電部材及び第二導電部材を備え、
前記第一導電部材及び前記第二導電部材は、いずれか一方が有する第一部が、他方が有する第二部に向けて突出する凹凸構造で形成された第一かしめ接合部を有し、
前記第一かしめ接合部は、前記第一部及び前記第二部のうちの、いずれか一方が有する第三部が、他方が有する第四部に向けて突出する凹凸構造で形成された第二かしめ接合部を有する
蓄電装置。
【発明の詳細な説明】
【技術分野】
【０００１】
本発明は、電極体を流れる電流の経路に配置されて互いに接合された２つの導電部材を備える蓄電素子及び蓄電装置に関する。
【背景技術】
【０００２】
従来、電極体を流れる電流の経路に配置されて互いに接合された２つの導電部材を備える蓄電素子が知られている。例えば、特許文献１には、電極体と集電体とが接合された構成の蓄電素子が開示されている。
【先行技術文献】
【特許文献】
【０００３】
【特許文献１】特開２０１６−１８９３２３号公報
【発明の概要】
【発明が解決しようとする課題】
【０００４】
ここで、上記従来の蓄電素子においては、２つの導電部材（電極体及び集電体）は、かしめられて接合されているが、一般的に、２つの導電部材をかしめ接合する場合、超音波溶接等の接合に比べて、接触面積（接合面積）が少なくなる。しかしながら、この２つの導電部材は、電極体を流れる電流（主電流）の経路に配置された部材であるため、接合面積が少なくなると、通電抵抗が大きくなってしまう。このため、主電流の経路に配置された２つの導電部材において、接合面積を増加させることが望まれる。
【０００５】
本発明は、上記問題に鑑みてなされたものであり、主電流の経路に配置された２つの導電部材の接合面積を増加させることができる蓄電素子及び蓄電装置を提供することを目的とする。
【課題を解決するための手段】
【０００６】
上記目的を達成するために、本発明の一態様に係る蓄電素子は、電極体を備える蓄電素子であって、前記電極体を流れる電流の経路に配置され、互いに接合された第一導電部材及び第二導電部材を備え、前記第一導電部材及び前記第二導電部材は、いずれか一方が有する第一部が、他方が有する第二部に向けて突出する凹凸構造で形成された第一かしめ接合部を有し、前記第一かしめ接合部は、前記第一部及び前記第二部のうちの、いずれか一方が有する第三部が、他方が有する第四部に向けて突出する凹凸構造で形成された第二かしめ接合部を有する。
【０００７】
これによれば、蓄電素子において、電極体を流れる電流の経路に配置されて互いに接合された第一導電部材及び第二導電部材は、第一かしめ接合部を有し、第一かしめ接合部は、第二かしめ接合部を有している。つまり、主電流の経路に配置された第一導電部材及び第二導電部材の接合において、第一かしめ接合部の中に第二かしめ接合部を形成するという２重のかしめ接合がなされている。これにより、第一かしめ接合部における接合面積を、第二かしめ接合部を形成することで増加させることができるため、主電流の経路に配置された２つの導電部材の接合面積を増加させることができる。
【０００８】
また、前記第一部は、前記第二部に向けて第一方向に突出する第一突出部を有し、前記第一突出部は、前記第一方向と交差する第二方向に突出する第二突出部を有し、前記第三部は、前記第四部に向けて第三方向に突出する第三突出部を有し、前記第三突出部は、前記第三方向と交差する第四方向に突出する第四突出部を有することにしてもよい。
【０００９】
これによれば、第一かしめ接合部において、第一方向に突出する第一突出部が、第一方向と交差する第二方向に突出する第二突出部を有しており、第二かしめ接合部において、第三方向に突出する第三突出部が、第三方向と交差する第四方向に突出する第四突出部を有している。つまり、第一かしめ接合部において、第一突出部に第二突出部が形成されてインターロック形状となるクリンチかしめ接合が行われ、第二かしめ接合部において、第三突出部に第四突出部が形成されてインターロック形状となるクリンチかしめ接合が行われる。このように、第一導電部材及び第二導電部材のかしめ接合において、第一突出部に第二突出部を形成し、かつ、第三突出部に第四突出部を形成することで、第一導電部材及び第二導電部材の接合面積をさらに増加させることができる。
【００１０】
また、前記第三部が前記第四部に向けて突出する方向は、前記第一部が前記第二部に向けて突出する方向と同じ方向であることにしてもよい。
【００１１】
これによれば、第二かしめ接合部において第三部が第四部に向けて突出する方向（第二かしめ接合部の突出方向）は、第一かしめ接合部において第一部が第二部に向けて突出する方向（第一かしめ接合部の突出方向）と同じ方向である。ここで、蓄電素子は、高容量化のために、部品間にスペースが設けられていない場合が多く、蓄電素子が有する２部材をかしめ接合する場合、かしめ接合する際のダイ及びポンチの設置スペースを確保するのが困難な場合が多い。このため、第二かしめ接合部の突出方向を第一かしめ接合部の突出方向と同じにすることで、第一かしめ接合部及び第二かしめ接合部を同じ方向に突出させて形成することができるため、１回のかしめ作業で第一かしめ接合部及び第二かしめ接合部を形成することができる。これにより、ダイ及びポンチを別の位置に設置し直したり、異なるダイ及びポンチを設置し直したりする必要がなく、容易にかしめ接合部を形成することができる。
【００１２】
また、前記第三部が前記第四部に向けて突出する方向は、前記第一部が前記第二部に向けて突出する方向と逆方向であることにしてもよい。
【００１３】
これによれば、第二かしめ接合部において第三部が第四部に向けて突出する方向（第二かしめ接合部の突出方向）は、第一かしめ接合部において第一部が第二部に向けて突出する方向（第一かしめ接合部の突出方向）と逆方向である。ここで、蓄電素子は、高容量化のために、省スペース化を図るのが好ましい。このため、第二かしめ接合部の突出方向を第一かしめ接合部の突出方向と逆方向にすることで、第一かしめ接合部から第二かしめ接合部をさらに突出させないようにすることができるため、省スペース化を図ることができる。
【００１４】
また、前記第一導電部材及び前記第二導電部材は、対向する位置に一対の前記第一かしめ接合部を有し、前記一対の第一かしめ接合部は、対向する位置に一対の前記第二かしめ接合部を有することにしてもよい。
【００１５】
これによれば、第一導電部材及び第二導電部材は、対向する位置に一対の第一かしめ接合部を有し、当該一対の第一かしめ接合部は、対向する位置に一対の第二かしめ接合部を有している。ここで、蓄電素子では、第一導電部材及び第二導電部材が移動して内部の部材を損傷させないように、第一導電部材及び第二導電部材の移動を規制するためのスペーサ等を配置する場合がある。このため、当該スペーサを挟み込めるように、一対の第一かしめ接合部を対向する位置に配置する。そして、第一導電部材及び第二導電部材に対する当該スペーサの位置を位置決めできるように、一対の第一かしめ接合部に、互いに対向する一対の第二かしめ接合部を配置する。このように、一対の第二かしめ接合部で当該スペーサを正確な位置に位置決めすることで、第一導電部材及び第二導電部材が移動するのを効果的に抑制することができる。
【００１６】
また、前記電極体は、積層された極板を有し、前記第一導電部材は、前記電極体の積層された極板であり、前記第二導電部材は、集電体であることにしてもよい。
【００１７】
これによれば、第一導電部材は、電極体の積層された極板であり、第二導電部材は、集電体である。ここで、電極体及び集電体をかしめ接合する際に、本願の構成を用いると、高い効果を得ることができる。つまり、電極体の極板は薄いため、集電体との接合面積が少なくなって通電抵抗が大きくなってしまうと、溶融するなどして損傷するおそれがある。このため、２重のかしめ接合を行うことで、積層された極板と集電体との接合面積を増加させることができるため、電極体の極板が損傷するのを抑制することができる。また、積層された極板と集電体との接合は外れやすいため、２重のかしめ接合を行うことで、積層された極板と集電体との接合強度を強固にすることができる。
【００１８】
また、本発明の一態様に係る蓄電装置は、電極体を有する蓄電素子を備える蓄電装置であって、前記電極体を流れる電流の経路に配置され、互いに接合された第一導電部材及び第二導電部材を備え、前記第一導電部材及び前記第二導電部材は、いずれか一方が有する第一部が、他方が有する第二部に向けて突出する凹凸構造で形成された第一かしめ接合部を有し、前記第一かしめ接合部は、前記第一部及び前記第二部のうちの、いずれか一方が有する第三部が、他方が有する第四部に向けて突出する凹凸構造で形成された第二かしめ接合部を有する。
【００１９】
これによれば、蓄電装置において、電極体を流れる電流の経路に配置されて互いに接合された第一導電部材及び第二導電部材は、第一かしめ接合部を有し、第一かしめ接合部は、第二かしめ接合部を有している。つまり、蓄電装置における主電流の経路に配置された第一導電部材及び第二導電部材の接合において、第一かしめ接合部の中に第二かしめ接合部を形成するという２重のかしめ接合がなされている。この第一導電部材及び第二導電部材としては、蓄電素子内の部材同士のみならず、例えば、蓄電素子の電極端子及びバスバーや、バスバーが２部材で構成されている場合の当該２部材等を適用することができる。これにより、第一かしめ接合部における接合面積を、第二かしめ接合部を形成することで増加させることができるため、主電流の経路に配置された２つの導電部材の接合面積を増加させることができる。
【００２０】
なお、本発明は、このような蓄電素子または蓄電装置として実現することができるだけでなく、当該蓄電素子または蓄電装置が備える２つの導電部材（第一導電部材及び第二導電部材）としても実現することができる。
【発明の効果】
【００２１】
本発明における蓄電素子等によれば、主電流の経路に配置された２つの導電部材の接合面積を増加させることができる。
【図面の簡単な説明】
【００２２】
【図１】実施の形態に係る蓄電素子の外観を示す斜視図である。
【図２】実施の形態に係る蓄電素子の容器内方に配置されている構成要素を示す斜視図である。
【図３】実施の形態に係る蓄電素子を分解して各構成要素を示す分解斜視図である。
【図４】実施の形態に係る正極集電体が電極体の正極集束部に接合された状態での構成を示す断面図である。
【図５】実施の形態に係る正極集電体と電極体との接合部の構成を示す斜視図である。
【図６】実施の形態に係る正極集電体と電極体との接合部の内部構成を示す断面図である。
【図７】実施の形態の変形例に係る正極集電体と電極体との接合部の構成を示す斜視図である。
【図８】実施の形態の変形例に係る正極集電体と電極体との接合部の内部構成を示す断面図である。
【発明を実施するための形態】
【００２３】
以下、図面を参照しながら、本発明の実施の形態（及びその変形例）に係る蓄電素子及び蓄電装置について説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２４】
また、以下の説明及び図面中において、蓄電素子が有する一対の電極端子の並び方向、一対の集電体の並び方向、電極体の両端部（一対の活物質層非形成部）の並び方向、電極体の巻回軸方向、集電体の脚部の幅方向、または、容器の短側面の対向方向をＸ軸方向と定義する。また、容器の長側面の対向方向、容器の短側面の短手方向、容器の厚さ方向、かしめ接合部における電極体の極板の積層方向、または、かしめ接合部における集電体と電極体とカバー部材との並び方向をＹ軸方向と定義する。また、蓄電素子の容器本体と蓋との並び方向、容器の短側面の長手方向、または、集電体の脚部の延設方向をＺ軸方向と定義する。これらＸ軸方向、Ｙ軸方向及びＺ軸方向は、互いに交差（本実施の形態では直交）する方向である。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２５】
（実施の形態）
［１  蓄電素子１０の全般的な説明］
まず、図１〜図３を用いて、本実施の形態における蓄電素子１０の全般的な説明を行う。図１は、本実施の形態に係る蓄電素子１０の外観を示す斜視図である。また、図２は、本実施の形態に係る蓄電素子１０の容器１００内方に配置されている構成要素を示す斜視図である。具体的には、図２は、蓄電素子１０から容器本体１１１を分離した状態での構成を示す斜視図である。つまり、同図は、電極体４００に正極集電体５００及び負極集電体６００を接合した後の状態を示している。また、図３は、本実施の形態に係る蓄電素子１０を分解して各構成要素を示す分解斜視図である。つまり、同図は、電極体４００に正極集電体５００及び負極集電体６００を接合する前の状態を示している。また、同図では、容器本体１１１を省略して図示している。
【００２６】
蓄電素子１０は、電気を充電し、また、電気を放電することのできる二次電池であり、具体的には、リチウムイオン二次電池などの非水電解質二次電池である。蓄電素子１０は、例えば、電気自動車（ＥＶ）、ハイブリッド電気自動車（ＨＥＶ）またはプラグインハイブリッド電気自動車（ＰＨＥＶ）等の自動車用電源や、電子機器用電源、電力貯蔵用電源などに使用される。なお、蓄電素子１０は、非水電解質二次電池には限定されず、非水電解質二次電池以外の二次電池であってもよいし、キャパシタであってもよい。また、蓄電素子１０は、二次電池ではなく、使用者が充電をしなくても蓄えられている電気を使用できる一次電池であってもよい。また、本実施の形態では、直方体形状（角型）の蓄電素子１０を図示しているが、蓄電素子１０の形状は、直方体形状には限定されず、円柱形状、長円柱形状または直方体以外の多角柱形状等であってもよいし、ラミネート型の蓄電素子とすることもできる。
【００２７】
図１に示すように、蓄電素子１０は、容器１００と、正極端子２００と、負極端子３００とを備えている。また、図２に示すように、容器１００内方には、電極体４００と、正極集電体５００と、負極集電体６００とが収容されている。
【００２８】
なお、蓋体１１０と正極端子２００との間、及び蓋体１１０と正極集電体５００との間には、絶縁性及び気密性を高めるためにガスケット等が配置されているが、同図では省略して図示している。負極側についても、同様である。また、容器１００の内部には、電解液（非水電解質）が封入されているが、図示は省略する。なお、当該電解液としては、蓄電素子１０の性能を損なうものでなければその種類に特に制限はなく、様々なものを選択することができる。また、上記の構成要素の他、正極集電体５００及び負極集電体６００の側方に配置されるスペーサ、容器１００内の圧力が上昇したときに当該圧力を開放するためのガス排出弁、または、電極体４００等を包み込む絶縁フィルムなどが配置されていてもよい。
【００２９】
容器１００は、矩形筒状で底を備える容器本体１１１と、容器本体１１１の開口を閉塞する板状部材である蓋体１１０とで構成されている。また、容器１００は、電極体４００等を内部に収容後、蓋体１１０と容器本体１１１とが溶接等されることにより、内部を密封することができるものとなっている。なお、蓋体１１０及び容器本体１１１の材質は特に限定されず、例えばステンレス鋼、アルミニウム、アルミニウム合金など溶接可能な金属とすることができるが、樹脂を用いることもできる。
【００３０】
電極体４００は、正極板と負極板とセパレータとを備え、電気を蓄えることができる蓄電要素（発電要素）である。正極板は、アルミニウムやアルミニウム合金などからなる長尺帯状の集電箔である正極基材層上に正極活物質層が形成された極板である。負極板は、銅や銅合金などからなる長尺帯状の集電箔である負極基材層上に負極活物質層が形成された極板である。なお、上記集電箔として、ニッケル、鉄、ステンレス鋼、チタン、焼成炭素、導電性高分子、導電性ガラス、Ａｌ−Ｃｄ合金など、適宜公知の材料を用いることもできる。また、正極活物質層及び負極活物質層に用いられる正極活物質及び負極活物質としては、リチウムイオンを吸蔵放出可能な活物質であれば、適宜公知の材料を使用できる。また、セパレータは、例えば樹脂からなる微多孔性のシートや、不織布を用いることができる。
【００３１】
そして、電極体４００は、正極板と負極板との間にセパレータが配置され巻回されて形成されている。具体的には、電極体４００は、正極板と負極板とが、セパレータを介して、巻回軸（本実施の形態ではＸ軸方向に平行な仮想軸）の方向に互いにずらして巻回されている。そして、正極板及び負極板は、それぞれのずらされた方向の端部に、活物質が塗工されず（活物質層が形成されず）基材層が露出した部分（活物質層非形成部）を有している。
【００３２】
つまり、電極体４００は、積層された極板（正極板及び負極板）を有している。そして、電極体４００は、巻回軸方向の一端部（Ｘ軸方向プラス側の端部）に、正極板の活物質層非形成部が積層されて束ねられた正極集束部４１０を有している。また、電極体４００は、巻回軸方向の他端部（Ｘ軸方向マイナス側の端部）に、負極板の活物質層非形成部が積層されて束ねられた負極集束部４２０を有している。例えば、正極板及び負極板の活物質層非形成部（集電箔）の厚みは、５μｍ〜２０μｍ程度であり、これらが例えば３０〜４０枚ほど束ねられることで、正極集束部４１０及び負極集束部４２０が形成されている。なお、本実施の形態では、電極体４００の断面形状として長円形状を図示しているが、円形状または楕円形状でもよい。
【００３３】
正極端子２００は、電極体４００の正極板に電気的に接続された電極端子であり、負極端子３００は、電極体４００の負極板に電気的に接続された電極端子である。つまり、正極端子２００及び負極端子３００は、電極体４００に蓄えられている電気を蓄電素子１０の外部空間に導出し、また、電極体４００に電気を蓄えるために蓄電素子１０の内部空間に電気を導入するための金属製の電極端子である。また、正極端子２００及び負極端子３００は、電極体４００の上方に配置された蓋体１１０に取り付けられている。具体的には、図３に示すように、正極端子２００は、突出部２１０が蓋体１１０の貫通孔１１０ａと正極集電体５００の開口部５１１とに挿入されて、かしめられることにより、正極集電体５００とともに蓋体１１０に固定される。負極端子３００についても同様である。
【００３４】
正極集電体５００は、電極体４００の正極集束部４１０と容器本体１１１の側壁との間に配置され、正極端子２００と電極体４００の正極板とに電気的に接続される導電性と剛性とを備えた部材である。また、負極集電体６００は、電極体４００の負極集束部４２０と容器本体１１１の側壁との間に配置され、負極端子３００と電極体４００の負極板とに電気的に接続される導電性と剛性とを備えた部材である。
【００３５】
具体的には、正極集電体５００及び負極集電体６００は、容器本体１１１の側壁から蓋体１１０に亘って当該側壁及び蓋体１１０に沿って屈曲状態で配置される導電性の板状部材である。正極集電体５００及び負極集電体６００は、蓋体１１０に固定的に接続（接合）されている。また、正極集電体５００及び負極集電体６００は、電極体４００が有する積層された極板、つまり、正極集束部４１０及び負極集束部４２０にそれぞれ固定的に接続（接合）されている。この構成により、電極体４００が、正極集電体５００及び負極集電体６００によって蓋体１１０から吊り下げられた状態で保持（支持）され、振動や衝撃などによる揺れが抑制される。
【００３６】
なお、正極集電体５００の材質は限定されないが、例えば、電極体４００の正極基材層と同様、アルミニウムまたはアルミニウム合金などで形成されている。また、負極集電体６００についても、材質は限定されないが、例えば、電極体４００の負極基材層と同様、銅または銅合金などで形成されている。
【００３７】
［２  接合部２０まわりの構成の説明］
ここで、図２に示すように、正極集電体５００は、電極体４００の正極集束部４１０と、複数の接合部２０において接合されている。また、負極集電体６００は、電極体４００の負極集束部４２０と、複数の接合部３０において接合されている。この接合部２０、３０まわりの概略構成について、以下に、図４も用いて説明する。なお、正極側の接合部２０まわりと負極側の接合部３０まわりとは、同様の構成を有しているため、以下では、正極側の接合部２０まわりの構成について説明し、負極側の接合部３０まわりの構成の説明は省略する。
【００３８】
図４は、本実施の形態に係る正極集電体５００が電極体４００の正極集束部４１０に接合された状態での構成を示す断面図である。具体的には、同図は、図２に示された正極集電体５００及び正極集束部４１０を、接合部２０を通るＹＺ平面で切断した場合の構成を示している。
【００３９】
図３及び図４に示すように、正極集電体５００は、端子接続部５１０と、端子接続部５１０のＹ軸方向両端部からＺ軸方向マイナス側に向けて延設された２つの電極接続部５２０とを有している。
【００４０】
端子接続部５１０は、正極端子２００に接続（接合）される正極集電体５００の基部である。つまり、端子接続部５１０は、正極集電体５００の正極端子２００側（上側、Ｚ軸方向プラス側）に配置される平板状の部位であり、正極端子２００に電気的及び機械的に接続される。
【００４１】
電極接続部５２０は、電極体４００に接続（接合）される正極集電体５００の脚部である。つまり、電極接続部５２０は、正極集電体５００の電極体４００側（下側、Ｚ軸方向マイナス側）に配置される部位であり、電極体４００に電気的及び機械的に接続される。具体的には、電極接続部５２０は、Ｚ軸方向に延びる長尺状かつ平板状の部位であり、電極体４００の正極集束部４１０のうちの２つの対向する平坦な集束部に、２つの電極接続部５２０がそれぞれ接合される。
【００４２】
また、図４に示すように、正極集束部４１０の内側にはカバー部材７００が配置されており、電極接続部５２０と正極集束部４１０とカバー部材７００とが機械的に接合されて、４つ（２つの電極接続部５２０に２つずつ）の接合部２０が形成されている。つまり、電極体４００の積層された極板及び正極集電体５００は、いずれか一方が他方に向けて突出する凹凸構造で互いに嵌合された接合部２０を備えている。具体的には、接合部２０は、電極接続部５２０が正極集束部４１０に向けて突出した凹凸構造の接合部であり、電極接続部５２０と正極集束部４１０とが互いに嵌合されて接合されている。接合部２０は、例えば、電極接続部５２０と正極集束部４１０とカバー部材７００とをかしめることによって（詳細には、クリンチかしめ接合を行うことによって）、形成することができる。
【００４３】
ここで、電極体４００の積層された極板は、第一導電部材の一例であり、正極集電体５００は、第二導電部材の一例である。つまり、電極体４００の積層された極板及び正極集電体５００は、電極体４００を流れる電流の経路に配置され、互いに接合された第一導電部材及び第二導電部材の一例である。なお、電極体４００を流れる電流とは、充電電流または放電電流（主電流）であり、電極体４００と正極端子２００及び負極端子３００との間で流れる電流である。また、当該電流の経路とは、電極体４００と正極端子２００及び負極端子３００との間の電流経路である。
【００４４】
また、接合部２０は、円柱形状の突出部分であり、２つの接合部２０が互いに対向する位置に、互いに向けて突出して配置されている。つまり、第一導電部材及び第二導電部材は、Ｙ軸方向において対向する位置に一対の接合部２０を２つ（二対）有している。具体的には、第一導電部材及び第二導電部材は、対向する位置に一対の第一かしめ接合部２１を有し、一対の第一かしめ接合部２１は、対向する位置に一対の第二かしめ接合部２２を有している。接合部２０の構成の詳細な説明については、後述する。
【００４５】
なお、カバー部材７００は、電極接続部５２０とで、正極集束部４１０を挟む位置に配置された、正極集束部４１０を保護するカバーである。具体的には、カバー部材７００は、正極集束部４１０に沿ってＺ軸方向に延びる矩形状かつ平板形状の部材であり、接合前の状態においては、厚みが一様となるように形成されている。このカバー部材７００は、材質は特に限定されないが、例えば、電極体４００の正極基材層と同様、アルミニウムまたはアルミニウム合金などで形成された金属部材である。なお、負極側にも同様にカバー部材が配置されており、この負極側のカバー部材についても、材質は特に限定されないが、例えば、電極体４００の負極基材層と同様、銅または銅合金などで形成された金属部材である。
【００４６】
［３  接合部２０の構成の詳細な説明］
次に、接合部２０の構成について、さらに詳細に説明する。図５は、本実施の形態に係る正極集電体５００と電極体４００との接合部２０の構成を示す斜視図である。具体的には、同図は、図４に示されたＹ軸方向マイナス側の接合部２０をカバー部材７００側（突出側）から見た斜視図である。また、図６は、本実施の形態に係る正極集電体５００と電極体４００との接合部２０の内部構成を示す断面図である。具体的には、同図は、図５に示された接合部２０（図４に示されたＹ軸方向マイナス側の接合部２０）を、ＶＩ−ＶＩ線を含むＹＺ平面で切断した場合の構成を示す断面図である。なお、図４に示されたＹ軸方向プラス側の接合部２０は、Ｙ軸方向マイナス側の接合部２０とＹ軸方向の向きが逆であるが、構成は同じであるため、説明は省略する。
【００４７】
これらの図に示すように、接合部２０は、Ｙ軸方向プラス側に突出した上面視円形状の第一かしめ接合部２１を有し、第一かしめ接合部２１は、Ｙ軸方向プラス側にさらに突出した上面視円形状の第二かしめ接合部２２を有している。なお、これらの図において上面視とは、Ｙ軸方向プラス側から見た場合のことであり、例えば上面視円形状とは、Ｙ軸方向プラス側から見た場合に円形状を有していることをいう。
【００４８】
第一かしめ接合部２１は、電極体４００の積層された極板及び正極集電体５００のいずれか一方が有する第一部５２１が、他方が有する第二部４１１に向けて突出する凹凸構造で形成された部位である。つまり、第一導電部材及び第二導電部材は、いずれか一方が有する第一部５２１が、他方が有する第二部４１１に向けて突出する凹凸構造で形成された第一かしめ接合部２１を有している。本実施の形態では、第一かしめ接合部２１は、正極集電体５００の電極接続部５２０が有する有底略円筒状の第一部５２１が、電極体４００の正極集束部４１０が有する有底略円筒状の第二部４１１に向けて突出する凹凸構造で形成されている。なお、第一かしめ接合部２１は、正極集束部４１０の第二部４１１が、カバー部材７００が有する有底略円筒状の第五部７０１に向けて突出する凹凸構造で形成された部位であるともいえる。
【００４９】
第二かしめ接合部２２は、第一部５２１及び第二部４１１のうちの、いずれか一方が有する第三部５２４が、他方が有する第四部４１４に向けて突出する凹凸構造で形成された部位である。本実施の形態では、電極接続部５２０の第一部５２１が有する有底略円筒状の第三部５２４が、正極集束部４１０の第二部４１１が有する有底略円筒状の第四部４１４に向けて突出する凹凸構造で形成されている。ここで、第二かしめ接合部２２における第三部５２４が第四部４１４に向けて突出する方向は、第一かしめ接合部２１における第一部５２１が第二部４１１に向けて突出する方向と同じ方向である。なお、第二かしめ接合部２２は、正極集束部４１０の第二部４１１が有する第四部４１４が、カバー部材７００の第五部７０１が有する有底略円筒状の第六部７０４に向けて突出する凹凸構造で形成された部位であるともいえる。
【００５０】
［３．１  第一かしめ接合部２１の構成の詳細な説明］
まず、第一かしめ接合部２１の構成について、詳細に説明する。図６に示すように、正極集電体５００の電極接続部５２０、電極体４００の正極集束部４１０及びカバー部材７００は、接合部２０において、第一方向に向けて突出する第一突出部（集電体第一突出部５２２、電極体第一突出部４１２及びカバー第一突出部７０２）を有している。ここで、第一方向とは、第一突出部の突出方向、つまり電極接続部５２０からカバー部材７００へ向けた方向であり、同図では、Ｙ軸方向プラス側である。また、当該第一突出部は、第一方向と交差する第二方向に突出する第二突出部（集電体第二突出部５２３及び電極体第二突出部４１３）を有している。本実施の形態では、第二方向は、第一方向と直交する方向であり、ＸＺ平面内の全方向（同図ではＺ軸方向両側）である。
【００５１】
なお、当該第一突出部及び第二突出部は、例えば、接合部２０において、電極接続部５２０、正極集束部４１０及びカバー部材７００が塑性変形することにより形成される。本実施の形態では、接合部２０において、電極接続部５２０、正極集束部４１０及びカバー部材７００がかしめられる（詳細には、クリンチかしめ接合される）ことによって形成される。
【００５２】
具体的には、電極接続部５２０の第一部５２１は、正極集束部４１０の第二部４１１に向けて第一方向に突出する集電体第一突出部５２２を有している。集電体第一突出部５２２は、電極接続部５２０の正極集束部４１０側の面が、正極集束部４１０側に突出した円筒状の凸部である。言い換えれば、集電体第一突出部５２２は、電極接続部５２０の正極集束部４１０とは反対側（外側）の面が、正極集束部４１０側に向けて凹んだ形状を有している。また、集電体第一突出部５２２は、第二方向に突出する集電体第二突出部５２３を有している。集電体第二突出部５２３は、集電体第一突出部５２２の第一方向側の端部から、電極体第一突出部４１２に向けて全周に亘って突出した上面視円環状の部位である。
【００５３】
また、正極集束部４１０の第二部４１１は、カバー部材７００の第五部７０１に向けて第一方向に突出する電極体第一突出部４１２を有している。電極体第一突出部４１２は、正極集束部４１０のカバー部材７００側の面が、カバー部材７００側に突出した円筒状の凸部である。言い換えれば、電極体第一突出部４１２は、正極集束部４１０の電極接続部５２０側の面が、カバー部材７００側に向けて凹んだ形状を有している。また、電極体第一突出部４１２は、第一方向及び第二方向に突出する電極体第二突出部４１３を有している。電極体第二突出部４１３は、電極体第一突出部４１２の第一方向側の端部から、カバー第一突出部７０２及び後述のカバー第二突出部７０３に向けて全周に亘って突出した上面視円環状の部位である。
【００５４】
また、カバー部材７００の第五部７０１は、正極集束部４１０から離れる方向に向けて第一方向に突出したカバー第一突出部７０２を有している。カバー第一突出部７０２は、カバー部材７００の正極集束部４１０とは反対側（外側）の面が、当該外側に突出した円筒状の凸部である。言い換えれば、カバー第一突出部７０２は、カバー部材７００の正極集束部４１０側の面が、正極集束部４１０とは反対側に向けて凹んだ形状を有している。また、カバー第一突出部７０２は、第一方向側の端部に、第一方向に向けて突出した上面視円環状のカバー第二突出部７０３を有している。
【００５５】
なお、集電体第一突出部５２２、電極体第一突出部４１２、カバー第一突出部７０２、集電体第二突出部５２３、電極体第二突出部４１３及びカバー第二突出部７０３の突出方向は、上記の方向には限定されず、上記の方向から傾いた方向であってもよく、また、突出形状についても上記には限定されない。また、集電体第二突出部５２３は、第一方向にも突出していてもよいし、電極体第二突出部４１３は、第一方向には突出していなくてもよいし、カバー第二突出部７０３は、第一方向に突出していなくてもよい。また、カバー第二突出部７０３は、カバー第一突出部７０２の第一方向側の端部から第二方向に突出していてもよいが、第二方向に突出させない構成とすることで、接合作業後に、接合部２０を、接合器具のダイから取り外しやすくすることができる。この場合、接合部２０をダイからより取り外しやすくするために、カバー部材７００の第五部７０１（カバー第一突出部７０２及びカバー第二突出部７０３）の幅（同図ではＺ軸方向の幅）が先端に向かうほど小さくなっている構成でもかまわない。
【００５６】
［３．２  第二かしめ接合部２２の構成の詳細な説明］
次に、第二かしめ接合部２２の構成について、詳細に説明する。電極接続部５２０の第一部５２１が有する第三部５２４、正極集束部４１０の第二部４１１が有する第四部４１４、及び、カバー部材７００の第五部７０１が有する第六部７０４は、第三方向に向けて突出する第三突出部（集電体第三突出部５２５、電極体第三突出部４１５及びカバー第三突出部７０５）を有している。ここで、第三方向とは、第三突出部の突出方向であり、本実施の形態では、電極接続部５２０からカバー部材７００へ向けた方向、つまり、第一方向と同じ方向（同図ではＹ軸方向プラス側）である。また、当該第三突出部は、第三方向と交差する第四方向に突出する第四突出部（集電体第四突出部５２６及び電極体第四突出部４１６）を有している。本実施の形態では、第四方向は、第三方向と直交する方向、つまり第二方向と同じ方向（ＸＺ平面内の全方向、同図ではＺ軸方向両側）である。
【００５７】
なお、当該第三突出部及び第四突出部は、例えば、第一かしめ接合部２１において、第三部５２４、第四部４１４及び第六部７０４が塑性変形することにより形成される。本実施の形態では、第三部５２４、第四部４１４及び第六部７０４がかしめられる（詳細には、クリンチかしめ接合される）ことによって形成される。つまり、接合部２０において、電極接続部５２０、正極集束部４１０及びカバー部材７００がかしめられることによって、第一かしめ接合部２１の第一突出部及び第二突出部と第二かしめ接合部２２の第三突出部及び第四突出部が形成される。
【００５８】
具体的には、電極接続部５２０の第三部５２４は、正極集束部４１０の第四部４１４に向けて第三方向に突出する集電体第三突出部５２５を有している。集電体第三突出部５２５は、第一部５２１の第二部４１１側の面が、第二部４１１側に突出した円筒状の凸部である。言い換えれば、集電体第三突出部５２５は、第一部５２１の第二部４１１側とは反対側（外側）の面が、第二部４１１側に向けて凹んだ形状を有している。また、集電体第三突出部５２５は、第四方向に突出する集電体第四突出部５２６を有している。集電体第四突出部５２６は、集電体第三突出部５２５の第三方向の端部から、電極体第三突出部４１５に向けて全周に亘って突出した上面視円環状の部位である。
【００５９】
また、正極集束部４１０の第四部４１４は、カバー部材７００の第六部７０４に向けて第三方向に突出する電極体第三突出部４１５を有している。電極体第三突出部４１５は、第二部４１１の第五部７０１側の面が、第五部７０１側に突出した円筒状の凸部である。言い換えれば、電極体第三突出部４１５は、第二部４１１の第一部５２１側の面が、第五部７０１側に向けて凹んだ形状を有している。また、電極体第三突出部４１５は、第三方向及び第四方向に突出する電極体第四突出部４１６を有している。電極体第四突出部４１６は、電極体第三突出部４１５の第三方向の端部から、カバー第三突出部７０５及び後述のカバー第四突出部７０６に向けて全周に亘って突出した上面視円環状の部位である。
【００６０】
また、カバー部材７００の第六部７０４は、第四部４１４から離れる方向に向けて第三方向に突出したカバー第三突出部７０５を有している。カバー第三突出部７０５は、第五部７０１の第二部４１１とは反対側（外側）の面が、当該外側に突出した円筒状の凸部である。言い換えれば、カバー第三突出部７０５は、第五部７０１の第二部４１１側の面が、第二部４１１とは反対側に向けて凹んだ形状を有している。また、カバー第三突出部７０５は、第三方向の端部に、第三方向に向けて突出した上面視円環状のカバー第四突出部７０６を有している。
【００６１】
なお、集電体第三突出部５２５、電極体第三突出部４１５、カバー第三突出部７０５、集電体第四突出部５２６、電極体第四突出部４１６及びカバー第四突出部７０６の突出方向は、上記の方向には限定されず、上記の方向から傾いた方向であってもよく、また、突出形状についても上記には限定されない。また、集電体第四突出部５２６は、第一方向にも突出していてもよいし、電極体第四突出部４１６は、第一方向には突出していなくてもよいし、カバー第四突出部７０６は、第一方向に突出していなくてもよい。また、カバー第四突出部７０６は、カバー第三突出部７０５の第三方向の端部から第四方向に突出していてもよいが、第四方向に突出させない構成とすることで、接合作業後に、接合部２０を、接合器具のダイから取り外しやすくすることができる。この場合、接合部２０をダイからより取り外しやすくするために、カバー部材７００の第六部７０４（カバー第三突出部７０５及びカバー第四突出部７０６）の幅（同図ではＺ軸方向の幅）が先端に向かうほど小さくなっている構成でもかまわない。
【００６２】
［４  効果の説明］
以上のように、本発明の実施の形態に係る蓄電素子１０によれば、電極体４００を流れる電流の経路に配置されて互いに接合された第一導電部材（電極体４００の積層された極板）及び第二導電部材（正極集電体５００）は、第一かしめ接合部２１を有し、第一かしめ接合部２１は、第二かしめ接合部２２を有している。つまり、主電流の経路に配置された第一導電部材及び第二導電部材の接合において、第一かしめ接合部２１の中に第二かしめ接合部２２を形成するという２重のかしめ接合がなされている。これにより、第一かしめ接合部２１における接合面積を、第二かしめ接合部２２を形成することで増加させることができるため、主電流の経路に配置された２つの導電部材の接合面積を増加させることができる。また、第一導電部材及び第二導電部材の接合において、２重のかしめ接合がなされているため、第一導電部材及び第二導電部材の接合強度を強固にすることができる。
【００６３】
また、電極体４００を流れる主電流の経路に配置されて互いに接合された第一導電部材（電極体４００の積層された極板）及び第二導電部材（正極集電体５００）のかしめ接合部は、電解液中に位置したり、電解液に接することがある。そのような場合でも、２重のかしめ接合部を有することにより、電解液の浸入に対する沿面距離を長くすることができるために、かしめ接合部の長期的な抵抗上昇が抑制される。これは、主電流の経路に配置される上で重要な効果である。
【００６４】
また、第一かしめ接合部２１において、第一方向に突出する集電体第一突出部５２２が、第一方向と交差する第二方向に突出する集電体第二突出部５２３を有しており、第二かしめ接合部２２において、第三方向に突出する集電体第三突出部５２５が、第三方向と交差する第四方向に突出する集電体第四突出部５２６を有している。つまり、第一かしめ接合部２１において、集電体第一突出部５２２に集電体第二突出部５２３が形成されてインターロック形状となるクリンチかしめ接合が行われ、第二かしめ接合部２２において、集電体第三突出部５２５に集電体第四突出部５２６が形成されてインターロック形状となるクリンチかしめ接合が行われる。このように、第一導電部材及び第二導電部材のかしめ接合において、集電体第一突出部５２２に集電体第二突出部５２３を形成し、かつ、集電体第三突出部５２５に集電体第四突出部５２６を形成することで、第一導電部材及び第二導電部材の接合面積をさらに増加させることができる。また、第一かしめ接合部２１及び第二かしめ接合部２２において、インターロック形状が形成されるので、第一導電部材及び第二導電部材の接合強度をさらに強固にすることができる。
【００６５】
また、第二かしめ接合部２２において第三部５２４が第四部４１４に向けて突出する方向（第二かしめ接合部２２の突出方向）は、第一かしめ接合部２１において第一部５２１が第二部４１１に向けて突出する方向（第一かしめ接合部２１の突出方向）と同じ方向である。ここで、蓄電素子１０は、高容量化のために、部品間にスペースが設けられていない場合が多く、蓄電素子１０が有する２部材をかしめ接合する場合、かしめ接合する際のダイ及びポンチの設置スペースを確保するのが困難な場合が多い。このため、第二かしめ接合部２２の突出方向を第一かしめ接合部２１の突出方向と同じにすることで、第一かしめ接合部２１及び第二かしめ接合部２２を同じ方向に突出させて形成することができるため、１回のかしめ作業で第一かしめ接合部２１及び第二かしめ接合部２２を形成することができる。これにより、ダイ及びポンチを別の位置に設置し直したり、異なるダイ及びポンチを設置し直したりする必要がなく、容易に接合部２０を形成することができる。
【００６６】
また、第一導電部材及び第二導電部材は、対向する位置に一対の第一かしめ接合部２１を有し、当該一対の第一かしめ接合部２１は、対向する位置に一対の第二かしめ接合部２２を有している。ここで、蓄電素子１０では、第一導電部材及び第二導電部材が移動して内部の部材を損傷させないように、第一導電部材及び第二導電部材の移動を規制するためのスペーサ等を配置する場合がある。このため、当該スペーサを挟み込めるように、一対の第一かしめ接合部２１を対向する位置に配置する。そして、第一導電部材及び第二導電部材に対する当該スペーサの位置を位置決めできるように、一対の第一かしめ接合部２１に、互いに対向する一対の第二かしめ接合部２２を配置する。このように、一対の第二かしめ接合部２２で当該スペーサを正確な位置に位置決めすることで、第一導電部材及び第二導電部材が移動するのを効果的に抑制することができる。
【００６７】
また、第一導電部材は、電極体４００の積層された極板であり、第二導電部材は、正極集電体５００である。ここで、電極体４００及び正極集電体５００をかしめ接合する際に、本願の構成を用いると、高い効果を得ることができる。つまり、電極体４００の極板は薄いため、正極集電体５００との接合面積が少なくなって通電抵抗が大きくなってしまうと、溶融するなどして損傷するおそれがある。このため、２重のかしめ接合を行うことで、積層された極板と正極集電体５００との接合面積を増加させることができるため、電極体４００の極板が損傷するのを抑制することができる。また、積層された極板と正極集電体５００との接合は外れやすいため、２重のかしめ接合を行うことで、積層された極板と正極集電体５００との接合強度を強固にすることができる。
【００６８】
なお、負極集電体６００側についても、正極集電体５００側と同様の構成を有するため、同様の効果を奏することができる。
【００６９】
［５  実施の形態の変形例の説明］
（変形例）
次に、上記実施の形態の変形例について、説明する。図７は、本実施の形態の変形例に係る正極集電体５００と電極体４００との接合部２０ａの構成を示す斜視図である。なお、同図は、図５に対応する図である。また、図８は、本実施の形態の変形例に係る正極集電体５００と電極体４００との接合部２０ａの内部構成を示す断面図である。具体的には、同図は、図７に示された接合部２０ａを、ＶＩＩＩ−ＶＩＩＩ線を含むＹＺ平面で切断した場合の構成を示す断面図である。
【００７０】
これらの図に示すように、本変形例における接合部２０ａは、上記実施の形態における接合部２０の第二かしめ接合部２２に代えて、第二かしめ接合部２２ａを有している。第二かしめ接合部２２ａは、第一かしめ接合部２１の突出方向とは反対方向に突出して配置されている。本変形例のその他の構成については、上記実施の形態と同様であり、詳細な説明は省略する。
【００７１】
具体的には、第二かしめ接合部２２ａは、第一部５２１及び第二部４１１のうちの、いずれか一方が有する第三部４１４ａが、他方が有する第四部５２４ａに向けて突出する凹凸構造で形成された部位である。つまり、本変形例では、正極集束部４１０の第二部４１１が有底略円筒状の第三部４１４ａを有し、電極接続部５２０の第一部５２１が有底略円筒状の第四部５２４ａを有している。
【００７２】
このように、第二かしめ接合部２２ａは、正極集束部４１０の第二部４１１が有する第三部４１４ａが、電極接続部５２０の第一部５２１が有する第四部５２４ａに向けて突出する凹凸構造で形成されている。つまり、第二かしめ接合部２２ａにおける第三部４１４ａが第四部５２４ａに向けて突出する方向は、第一かしめ接合部２１における第一部５２１が第二部４１１に向けて突出する方向と逆方向である。また、カバー部材７００の第五部７０１は、有底略円筒状の第六部７０４ａを有しており、第六部７０４ａは、正極集束部４１０の第二部４１１が有する第三部４１４ａに向けて突出して配置されている。
【００７３】
以上のような構成により、第六部７０４ａ、第三部４１４ａ及び第四部５２４ａは、第三方向に向けて突出する第三突出部（カバー第三突出部７０５ａ、電極体第三突出部４１５ａ及び集電体第三突出部５２５ａ）を有している。ここで、第三方向とは、第三突出部の突出方向であり、本変形例では、カバー部材７００から電極接続部５２０へ向けた方向、つまり、第一方向と反対の方向（同図ではＹ軸方向マイナス側）である。また、当該第三突出部は、第三方向と交差する第四方向に突出する第四突出部（カバー第四突出部７０６ａ及び電極体第四突出部４１６ａ）を有している。本変形例では、第四方向は、第三方向と直交する方向、つまり第二方向と同じ方向（ＸＺ平面内の全方向、同図ではＺ軸方向両側）である。
【００７４】
このように、本変形例においては、上記実施の形態における電極接続部５２０の第三部５２４、正極集束部４１０の第四部４１４、及び、カバー部材７００の第六部７０４の関係を、カバー部材７００の第六部７０４ａ、正極集束部４１０の第三部４１４ａ、及び、電極接続部５２０の第四部５２４ａの関係に変更したものとなる。つまり、本変形例における第六部７０４ａ、第三部４１４ａ及び第四部５２４ａは、上記実施の形態における第三部５２４、第四部４１４及び第六部７０４を、上下反転したものとなる。例えば、正極集束部４１０の第三部４１４ａは、電極接続部５２０の第四部５２４ａに向けて第三方向に突出する電極体第三突出部４１５ａを有している。また、電極体第三突出部４１５ａは、第四方向に突出する電極体第四突出部４１６ａを有している。
【００７５】
以上のように、本変形例に係る蓄電素子１０によれば、第二かしめ接合部２２ａにおいて第三部４１４ａが第四部５２４ａに向けて突出する方向（第二かしめ接合部２２ａの突出方向）は、第一かしめ接合部２１において第一部５２１が第二部４１１に向けて突出する方向（第一かしめ接合部２１の突出方向）と逆方向である。ここで、蓄電素子１０は、高容量化のために、省スペース化を図るのが好ましい。このため、第二かしめ接合部２２ａの突出方向を第一かしめ接合部２１の突出方向と逆方向にすることで、第一かしめ接合部２１から第二かしめ接合部２２ａをさらに突出させないようにすることができるため、省スペース化を図ることができる。
【００７６】
（その他の変形例）
以上、本発明の実施の形態及びその変形例に係る蓄電素子１０について説明したが、本発明は、この実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００７７】
例えば、上記実施の形態及びその変形例では、第一導電部材は、電極体４００の積層された極板であり、第二導電部材は、集電体（正極集電体５００または負極集電体６００）であることとした。しかし、第一導電部材及び第二導電部材は、電極体４００を流れる電流の経路に配置されて互いに接合された部材であればよく、電極体４００及び集電体には限定されない。例えば、電極体４００と集電体との間にリード等の導電部材が配置される場合には、第一導電部材及び第二導電部材は、電極体４００及び当該導電部材であってもよいし、集電体及び当該導電部材であってもよい。
【００７８】
また、電極端子（正極端子２００または負極端子３００）が２部材で構成されている場合には、第一導電部材及び第二導電部材は、電極端子を構成する当該２部材であってもよいし、集電体が２部材で構成されている場合には、第一導電部材及び第二導電部材は、集電体を構成する当該２部材であってもよい。また、第一導電部材及び第二導電部材は、電極端子及び集電体であってもよい。また、容器１００を正極または負極の電位に落とす場合には、第一導電部材及び第二導電部材は、電極端子及び容器１００であってもよいし、集電体及び容器１００であってもよい。
【００７９】
また、第一導電部材及び第二導電部材は、蓄電素子１０を備える蓄電装置（複数の蓄電素子１０を備えるモジュール、または、複数の当該モジュールを備えるパック）に備えられていてもよい。例えば、第一導電部材及び第二導電部材がモジュールに備えられている場合には、第一導電部材及び第二導電部材は、蓄電素子１０の電極端子及び蓄電素子１０間のバスバーであってもよいし、蓄電素子１０間のバスバーが２部材で構成されている場合の当該２部材であってもよい。また、第一導電部材及び第二導電部材がパックに備えられている場合には、第一導電部材及び第二導電部材は、モジュールの外部端子及びモジュール間のバスバーであってもよいし、モジュール間のバスバーが２部材で構成されている場合の当該２部材であってもよい。これらの場合でも、第一導電部材及び第二導電部材の構成及びその効果は、上記実施の形態及びその変形例と同様である。
【００８０】
また、上記実施の形態及びその変形例では、一対の接合部２０（または２０ａ）が互いに対向する位置に配置されていることとした。しかし、接合部２０は、対向する位置に配置されていなくてもよい。また、接合部２０の個数も特に限定されず、何個の接合部２０が電極接続部５２０に形成されていてもよい。また、電極接続部５２０の本数も限定されず、正極集電体５００は、１本の電極接続部５２０しか有していないことにしてもよいし、３本以上の電極接続部５２０を有していることにしてもよい。なお、電極接続部５２０を１本にした場合には、電極接続部５２０の両側にダイ及びポンチを配置しやすいため、接合部２０を容易に形成することができる。
【００８１】
また、上記実施の形態及びその変形例では、正極集電体５００は、２つの電極接続部５２０の双方に、接合部２０（または２０ａ）が形成されていることとしたが、電極接続部５２０のいずれか一方にのみ接合部２０が形成されている構成でもよい。また、蓄電素子１０において、正極集電体５００及び負極集電体６００の双方に、接合部が形成されていることとしたが、正極集電体５００及び負極集電体６００のいずれか一方にのみ接合部が形成されている構成でもよい。
【００８２】
また、上記実施の形態及びその変形例では、第一かしめ接合部２１は、Ｙ軸方向プラス側またはマイナス側（図５〜８ではＹ軸方向プラス側）に突出していることとした。つまり、接合部２０（または２０ａ）は、正極集電体５００が電極体４００及びカバー部材７００に向けて突出した凹凸構造の接合部であることとした。しかし、接合部２０は、カバー部材７００及び電極体４００が正極集電体５００に向けて突出した凹凸構造の接合部であることにしてもよい。例えばカバー部材７００の方が正極集電体５００よりも厚いような場合には、この構成の方が好ましい。また、第二かしめ接合部の突出方向についても、上記実施の形態及びその変形例における方向には限定されない。例えば、第二かしめ接合部は、第一かしめ接合部２１の側面（図６ではＺ軸方向側の面）から外方に突出した構成、または凹んだ構成等でもかまわない。または、第一かしめ接合部２１及び第二かしめ接合部は、高さ方向（図６ではＹ軸方向）につぶされて、外方に突出していない形状であってもよい。
【００８３】
また、上記実施の形態及びその変形例では、第一かしめ接合部２１及び第二かしめ接合部は、上面視円形状を有していることとした。しかし、第一かしめ接合部２１が、上面視で長円形状、楕円形状または多角形状などであってもよいし、第二かしめ接合部が、上面視で長円形状、楕円形状または多角形状などであってもよい。
【００８４】
また、上記実施の形態及びその変形例では、接合部２０（または２０ａ）は、１つの第一かしめ接合部２１に１つの第二かしめ接合部が形成されて、２重のかしめ接合が行われていることとした。しかし、接合部２０（または２０ａ）は、第一かしめ接合部２１に２つ以上の第二かしめ接合部が形成されていることにしてもよい。また、接合部２０（または２０ａ）は、第二かしめ接合部にさらにかしめ接合部を形成して、３重以上のかしめ接合が行われていることにしてもよい。
【００８５】
また、上記実施の形態及びその変形例において、第一かしめ接合部２１及び第二かしめ接合部を一度のかしめ作業で形成してもよいし、複数回のかしめ作業に分けて第一かしめ接合部２１及び第二かしめ接合部を形成してもよい。
【００８６】
また、上記実施の形態及びその変形例では、電極体４００は、巻回軸が蓋体１１０に平行となるいわゆる縦巻きの巻回型電極体であることとした。しかし、電極体４００は、巻回軸が蓋体１１０に垂直となるいわゆる横巻きの巻回型電極体であってもよい。また、電極体４００の形状は巻回型に限らず、平板状極板を積層したスタック型や、極板及び／又はセパレータを蛇腹状に折り畳んだ形状（セパレータをつづら折りにして矩形の極板を挟む形態、極板とセパレータとを重ねた後につづら折りにする形態等）などであってもよい。
【００８７】
また、上記実施の形態及びその変形例では、正極集電体５００と電極体４００とカバー部材７００とが接合されることとしたが、これら以外の部材も一緒に接合されることにしてもよい。または、カバー部材７００は設けられておらず、正極集電体５００と電極体４００とが接合されて接合部２０（または２０ａ）が形成される構成でもよい。
【００８８】
また、上記実施の形態及びその変形例では、正極集電体５００と電極体４００とは、接合部２０（または２０ａ）においてのみ接合されることとしたが、接合部２０での接合の他に、他の接合方法による接合が行われてもよい。他の接合方法としては、例えば、超音波溶接、抵抗溶接、アーク溶接、または、レーザや電子ビームを照射して溶接などが挙げられる。このように、接合部２０（または２０ａ）に加えて、他の接合方法による接合も行うことで、接合強度の向上及び接触抵抗の低減を図ることができる。
【００８９】
また、上記実施の形態及びその変形例では、１つの接合部２０（または２０ａ）が独立して形成されていることとした。しかし、複数の接合部２０（または２０ａ）が連なって形成されていてもよい。例えば、２つの接合部２０（または２０ａ）の隣接する部分を一体化して、２つの接合部２０（または２０ａ）が連なった形状（ツインポイント）としてもよいし、３つ以上の接合部２０（または２０ａ）が連なって一体化された形状としてもよい。このような構成によって、接合強度の向上及び接触抵抗の低減を図ることができる。
【００９０】
また、上記実施の形態及びその変形例では、正極集電体５００と電極体４００とを接合する際に正極集電体５００と電極体４００とを塑性変形させる例として、クリンチかしめ接合を例示した。しかし、これには限定されず、クリンチかしめ接合とは異なる形態のかしめによる接合でもよい。
【００９１】
また、上記実施の形態及びその変形例に含まれる構成要素を任意に組み合わせて構築される形態も、本発明の範囲内に含まれる。
【００９２】
また、本発明は、このような蓄電素子１０または蓄電装置として実現することができるだけでなく、蓄電素子１０または蓄電装置が備える２つの導電部材（第一導電部材及び第二導電部材）としても実現することができる。
【産業上の利用可能性】
【００９３】
本発明は、リチウムイオン二次電池などの蓄電素子等に適用できる。
【符号の説明】
【００９４】
１０  蓄電素子
２０、２０ａ、３０  接合部
２１  第一かしめ接合部
２２、２２ａ  第二かしめ接合部
４００  電極体
４１０  正極集束部
４１１  第二部
４１２  電極体第一突出部
４１３  電極体第二突出部
４１４、５２４ａ  第四部
４１４ａ、５２４  第三部
４１５、４１５ａ  電極体第三突出部
４１６、４１６ａ  電極体第四突出部
４２０  負極集束部
５００  正極集電体
５２０  電極接続部
５２１  第一部
５２２  集電体第一突出部
５２３  集電体第二突出部
５２５、５２５ａ  集電体第三突出部
５２６、５２６ａ  集電体第四突出部
６００  負極集電体
７００  カバー部材
【図１】
2019046803.tif 000003
【図２】
2019046803.tif 000004
【図３】
2019046803.tif 000005
【図４】
2019046803.tif 000006
【図５】
2019046803.tif 000007
【図６】
2019046803.tif 000008
【図７】
2019046803.tif 000009
【図８】
2019046803.tif 000010